(57)【要約】  本発明は、好ましくは高分子プラスチックから成るフレキシブル基板（１０）と前記基板（１０）上に被着されて太陽エネルギーを電気エネルギーに変換する少なくとも１つの光起電力層（２６）とを有する太陽電池（１）において、前記基板（１０）が面ファスナー要素（１２）を一体不可分に有し、前記面ファスナー要素によって前記基板（１０）、ひいては前記太陽電池（１）が工具なしにキャリア手段（２０）に取付可能であることを特徴とする太陽電池に関する。【選択図】図１
2011503854.tif 000002
【特許請求の範囲】
【請求項１】
好ましくは高分子プラスチックから成るフレキシブル基板（１０）と前記基板（１０）上に被着されて太陽エネルギーを電気エネルギーに変換する少なくとも１つの光起電力層（２６）とを有する太陽電池（１）において、
前記基板（１０）は、面ファスナー要素（１２）を一体不可分に有し、当該面ファスナー要素によって、前記基板（１０）ひいては前記太陽電池（１）が工具なしにキャリア手段（２０）に取付可能であることを特徴とする太陽電池。
【請求項２】
前記面ファスナー要素（１２）は、前記光起電力層（２６）を担持する前記基板（１０）と一体に形成されていることを特徴とする、請求項１に記載の太陽電池（１）。
【請求項３】
前記基板（１０）は、少なくとも１つの取付面に、好ましくは全面にわたって、多数の前記面ファスナー要素（１２）を、ｃｍ２当り面ファスナー要素１００個以上の密度、特にｃｍ２当り面ファスナー要素２５００個以上の密度で有することを特徴とする、請求項１乃至２のいずれか１項に記載の太陽電池（１）。
【請求項４】
前記基板（１０）は、少なくとも１つの取付面に、好ましくは全面にわたって、多数の前記面ファスナー要素（１２）をｃｍ２当り面ファスナー要素１００００個以上、特にｃｍ２当り面ファスナー要素４００００個以上、好ましくはｃｍ２当り面ファスナー要素２５００００個以上の密度で有することを特徴とする、請求項１乃至３のいずれか１項に記載の太陽電池（１）。
【請求項５】
前記面ファスナー要素（１２）の少なくとも一部は、前記基板（１０）から離間して取付区域を有し、
前記取付区域は、前記太陽電池（１）に作用する重力及び／又は手で加えることのできる押付力の結果として、発生する粘着力が前記太陽電池（１）を前記キャリア手段（２０）に取り付けるのに十分となるように、前記キャリア手段（２０）に対して平面的に当接可能であることを特徴とする、請求項１乃至４のいずれか１項に記載の太陽電池（１）。
【請求項６】
前記面ファスナー要素（１２）は、前記基板（１０）から離間して配置され、前記面ファスナー要素（１２）の弾性率よりも小さな弾性率の材料による被覆を有することを特徴とする、請求項１乃至５のいずれか１項に記載の太陽電池（１）。
【請求項７】
前記面ファスナー要素（１２）の少なくとも一部は、導電性であることを特徴とする、請求項１乃至６のいずれか１項に記載の太陽電池（１）。
【請求項８】
前記面ファスナー要素（１２）の少なくとも一部は、それらの表面の少なくとも一区域に導電性材料による被覆を有することを特徴とする、請求項１乃至７のいずれか１項に記載の太陽電池（１）。
【請求項９】
前記基板（１０）は、前記面ファスナー要素（１２）を有するその側面が印刷されており、特に導電性材料又は半導体材料で印刷されていることを特徴とする、請求項１乃至８のいずれか１項に記載の太陽電池（１）。
【請求項１０】
前記基板（１０）は、前記面ファスナー要素（１２）を有するその側面が印刷して構造化されており、好ましくはインクジェット印刷法で印刷されており、特に導電性材料又は半導体材料で印刷されていることを特徴とする、請求項１乃至９のいずれか１項に記載の太陽電池（１）。
【発明の詳細な説明】
【技術分野】
【０００１】
本発明は、１つのフレキシブル基板とこの基板上に被着されて太陽エネルギーを電気エネルギーに変換する少なくとも１つの光起電力層とを有する太陽電池に関する。
【背景技術】
【０００２】
このような太陽電池は、通常、薄膜技術で製造され、例えばモノリシックに単結晶シリコンウェハに一体化され、又は析出した多結晶シリコン層又はアモルファスシリコン層を用いて一体化されている。光起電力の作用原理は、入射した太陽光が光起電力層内で電荷キャリアを遊離させ、これらの電荷キャリアが分離されて各１つの電極へと排出され、これにより電極に電圧が発生する、ことに基づいている。公知の太陽電池の製造も組立も高い投資コスト及び設置コストと結び付いており、これらのコストによって太陽電池の広範な応用がこれまで妨げられてきた。
【０００３】
特許文献１には、エネルギー変換層をフレキシブル材料に被着し、このフレキシブル材料に接着剤等の汎用粘着材料を備えることによって製造されたフレキシブル薄膜太陽電池が開示されている。
【０００４】
特許文献２には、熱可塑性プラスチックから面ファスナー部品を製造するための効率的な方法が開示されている。
【０００５】
特許文献３には、発光手段を備えた面ファスナー部品及びこのような面ファスナー部品を製造するための方法が開示されている。
【先行技術文献】
【特許文献】
【０００６】
【特許文献１】独国特許出願公開第１０３０５９３８号明細書
【特許文献２】独国特許出願公開第１９６４６３１８号明細書
【特許文献３】独国特許出願公開第１０２００４００３１２３号明細書
【発明の概要】
【発明が解決しようとする課題】
【０００７】
本発明の課題は、先行技術の諸欠点を取り除き、特に太陽電池を安価に製造し組立てることによって、ソーラー電流を安価に生成することを可能とする太陽電池を提供することである。１つの実施の形態において、キャリア手段への太陽電池の取付が簡素化され、これにより、本発明に係る太陽電池の機能性及び利用可能性も改善される。
【課題を解決するための手段】
【０００８】
この課題は、請求項１に明示された太陽電池によって解決される。本発明の特別な実施の形態は従属請求項に明示されている。
【０００９】
１つの実施の形態において、この太陽電池は、フレキシブルで、それゆえにしなやかであり、好ましくは伸縮自在に変形可能である基板を有しており、太陽エネルギーを電気エネルギーに変換するための少なくとも１つの光起電力層が基板上に被着されている。なお、複数の光起電力層を被着しておくこともできる。基本的に、フレキシブル基板は任意の方法で製造しておくことができ、例えば繊維産業で利用されるような、例えば製組、製編又は製織によって製造される基板とすることもできる。１つの実施の形態において、基板は、フラット高分子プラスチック、例えば高分子プラスチックフィルムによって形成されている。例えば、少なくとも片面、好ましくは全面にわたって高分子プラスチックで被覆させて、製組、製織又は製編によって製造される構成要素を有するサンドイッチ構造を用いることも可能である。
【００１０】
基板上に例えば薄膜技術又は厚膜技術の通常の製造方法によって単数の又は複数の光起電力層を被着することができる。その際に、有機光起電力層、特に高分子光起電力層を使用すると特別有利である。というのも、これらの光起電力層は特別高い柔軟性を備えており、これにより太陽電池全体が高い柔軟性を有するからである。光起電力吸収層としては、例えばポリ‐３‐アルキルチオフェン、共役低バンドギャップポリマー又はポリフェニレンビニレン等の半導体高分子をｐ型導電材料として、また例えばＣ６０フラーレン誘導体をｎ型導電材料として利用することができる。
【００１１】
太陽電池は、光起電力層の他になお電極を有しており、これらの電極でもって太陽電池は電気的に接触させることができ、またこれらの電極には光電圧が発生する。好ましくは電極の少なくとも１つは、吸収すべき放射の波長範囲に対して透明又は部分的に透明な材料から製造されている。基板も透明又は部分的に透明とすることができ、吸収すべき放射は基板側面を介しても入射することができる。その他、不透明基板又は反射基板を利用することもでき、又は不透明層又は反射層を基板に被着することができる。
【００１２】
１つの実施の形態において、電極の少なくとも１つと隣接する光起電力吸収層との間に１つの高分子中間層が配置されており、この中間層はスピンオン堆積又はスピンコーティングによって電極に被着しておくことができ、ドープされたポリエチレンジオキシチオフェンに基づかせることができ、５０〜２００ｎｍ、特に８０〜１００ｎｍの厚さを有することができる。高分子中間層は平滑層として働いており、電極への電荷キャリア注入の改善に寄与する。
【００１３】
１つの実施の形態において、電極は基板上に分散配置しておくことができ、特に基板は互いに電気的に結合された電極面を様々な位置に有することができ、特に規則的パターンで配置された電極面を有することができ、太陽電池は、所定の１箇所だけでなく、様々な位置で電気的に接触可能である。このことは、接続ケーブルの様々な供給ライン又は複数の接続ケーブルとの接触の可能性が有利である中、特に面積の大きい太陽電池にとって有利である。
【００１４】
１つの実施の形態において、基板に被着された層の少なくとも一部は、印刷、特にスクリーン印刷又はオフセット印刷によって、気相又は液相からの析出によって、蒸着又は噴霧によって被着されている。層は構造化することなく被着しておくことができる。必要ならば引き続く構造化によって、例えば写真平版工程を利用して被着層の構造化は行うことができる。特にスクリーン印刷の場合、層は既に構造化して被着することもできる。
【００１５】
１つの実施の形態において、層の少なくとも一部はインクジェット印刷技術によって被着されており、この印刷技術では被着すべき層が、直接に、又はキャリア材料に溶かして吹付ノズルによって、高分解能で基板に印刷される。この点について、直径数百ナノメートルの微細ノズルを介して基板上に層を生成できる固体物体の分散液又は懸濁液も含む機能性有機インキ、無機インキの広範な選択が利用可能である。こうして電子部品又は電子回路も基板上に被着することができ、これにより太陽電池は電気回路と組合せることが可能であり、又は、電気回路は太陽電池と一体不可分に製造可能である。
【００１６】
基板は、基板、さらには太陽電池を、工具なしにキャリア手段に対して取付可能とする面ファスナー要素を一体不可分に有している。面ファスナー要素は、基板とにより１つの構造ユニットを形成する。その際、取付力は、機械的掛合及び／又は化学的結合力によって、もたらすことができる。
【００１７】
例えば特許文献２に述べられたような賦形方法によって面ファスナー要素は、特にキャリア手段との機械的掛合を可能とするフラット基板と一体に製造可能である。面ファスナー要素はフック状、マッシュルーム状、ループ状又はその他の好適な掛合形状を有することができ、キャリア手段の対応する面ファスナー要素と協動することができる。フラット基板の面ファスナー要素とキャリア手段の面ファスナー要素とは同一に又は互いに相補的に形成しておくことができ、例えばフック‐フック、マッシュルーム‐マッシュルーム、フック‐ループ、マッシュルーム‐ループ等の結合が可能である。
【００１８】
代わりに又は補足的に、化学的結合力、特に例えばファンデワールス力等の粘着力又はダイポール力によっても基板の面ファスナー要素はキャリア手段の表面と協動することができる。このため、例えばフラット基板と一体に形成されたステムは、その自由末端を多数の個別繊維に分割し、例えばステム当り数百本の繊維に分割しておくことができる。
【００１９】
ステム末端がキャリア手段表面の方を向くその面に湾曲部を有し、好ましくは凸状湾曲部を有し、好ましくはキャリア手段表面を向く面がそれに続くステム領域に対して幅広にされているように、面ファスナー要素は形成しておくこともできる。これにより、ステム末端が狭くなることによって一種の屈曲予定部が規定されており、この屈曲予定部はキャリア手段表面の方を向く面ファスナー要素面がキャリア手段表面に位置合せされることを可能とし、従って面ファスナー要素がキャリア手段表面に大きな面で当接することを可能とし、及び／又は、面ファスナー要素が僅かな力でキャリア手段から剥離することを可能とする。ステムの端面は粘着力によってキャリア手段の表面と協動しており、これにより基板はキャリア手段に取付可能となる。このような面ファスナー要素用の好適なプラスチック材料は無機エラストマー、有機エラストマー、特にポリビニルシロキサン、付加架橋型シリコーンエラストマー、二成分系の態様のも、そしてアクリレートである。ゴム材料の利用も可能である。
【００２０】
本発明の特別な１つの実施の形態において、面ファスナー要素はいずれにしても部分的に成形金型なしに製造されている。関連した方法がＤＥ１００６５８１９Ｃ１、ＤＥ１０１０６７０５Ｃ１に開示されている。その際、プラスチック材料は少なくとも１つの塗布装置によって、連続的に放出される滴として堆積され、滴の堆積箇所はその都度形成すべき面ファスナー要素の形状を考慮して立体的に選択することができる。こうして大きな形状自由度をもって例えばインクジェット印刷法の方式でフック要素、マッシュルーム要素、ループ要素等を製造することができる。
【００２１】
本発明に係る太陽電池のキャリア手段への取付は、好ましくはキャリア手段からの太陽電池の剥離についても、簡単に、工具なしに可能である。取付手段は面ファスナーの態様で簡単に、大きな面で、及び／又はごく大量に、それゆえに安価に製造可能であり、面積の大きな太陽電池でも持続的で確実な取付を可能とする。
【００２２】
１つの実施の形態においてフラット基板はプラスチック、特に熱可塑性プラスチックから製造されている。それに代えて平面的な第１基板は、特に成形金型なしに製造される面ファスナー要素の場合、熱硬化性プラスチックから製造しておくこともできる。好ましくは面ファスナー要素は、平面的第１基板と同じ材料から成る。特にポリエチレンとポリプロピレンが基本的に考慮に値する。さらに、ポリメタクリレート等のアクリレート、ポリエチレン、ポリプロピレン、ポリオキシメチレン、ポリビニリデンフルオリド、ポリメチルペンテン、ポリエチレンクロロトリフルオロエチレン、ポリビニルフルオリド、ポリエチレンオキシド、ポリエチレンテレフタレート、ポリブチレンテレフタレート、ナイロン６（登録商標）、ナイロン６６（登録商標）及びポリブテンの群から選択したプラスチック材料を選択することができる。その代わりに、基板は無機エラストマー、有機エラストマー、特にポビニルシロキサン又は付加架橋型シリコーンエラストマーから製造されている。
【００２３】
１つの実施の形態において、面ファスナー要素は光起電力層とは反対側の基板側面に配置されている。特に基板が入射光に対して透明又は部分的に透明である場合、面ファスナー要素は基板の両方の側面に配置しておくこともでき、又は面ファスナー要素をそれぞれに有する２つの基板を互いに結合しておくことができ、面ファスナー要素は基板複合体の両方の外面で突出することができ、両方の基板の間に光起電力層を配置しておくことができる。
【００２４】
１つの実施の形態において、本発明に係る太陽電池は、例えば自動車ボデー、建物正面又は庭園用家具のほぼ任意に成形されたキャリア手段に対して工具なしに取付可能であるだけでなく、キャリア手段への太陽電池の取付も、キャリア手段からの太陽電池の剥離も、工具なしに行うことができる。個別の結合手段、特に接着剤又はその他の取付手段を省くことによって、取付は簡単に、特にキャリア手段への介入なしに可能である。取付が粘着力に基づいている限り、例えばガラス板等の平滑表面への取付は特別簡単確実に可能である。
【００２５】
１つの実施の形態において、本発明に係る太陽電池は、特別安価なロールツーロール製造方法で生産可能である。これにより太陽電池は大きな面で、同時に僅かな費用で製造することができ、接続電極を好適に配置した場合、特に接続電極を基板上に分散配置して互いに電気的に接続した場合、太陽電池はキャリア手段上に被着後に適切に裁断することができる。
【００２６】
１つの実施の形態において、面ファスナー要素は、例えば相応する面ファスナー要素を有するフィルムを太陽電池のフレキシブル基板と積層することによって基板と一体不可分に結合されているだけでなく、面ファスナー要素は光起電力層を担持する基板と一体に形成されている。その場合、太陽電池は、特にロールツーロール製造方法の枠内で、面ファスナー要素を有するフィルム状フレキシブル基板上で電極及び光起電力層の析出によって構成することができる。
【００２７】
１つの実施の形態において、基板は少なくとも１つの取付面に、好ましくは全面にわたって多数の面ファスナー要素をｃｍ２当り面ファスナー要素１００個以上の密度で有する。これは、面ファスナー要素を規則的に配置した場合１ｍｍ未満の格子寸法に一致する。好ましくは、基板はｃｍ２当り面ファスナー要素２５００個以上の密度を有する。これは、面ファスナー要素を規則的に配置した場合０．２ｍｍ未満の格子寸法に一致する。好ましくはさらに、基板はｃｍ２当り面ファスナー要素１００００個以上の密度を有する。これは０．１ｍｍ未満の格子寸法に一致する。太陽電池は特にｃｍ２当り、５０μｍ未満の格子寸法に一致する４００００個以上の面ファスナー要素を有する。特別な１つの実施の形態において、太陽電池はｃｍ２当り、２０μｍ未満の格子寸法に一致する２５００００個以上の面ファスナー要素を有する。多数の面ファスナー要素によって取付も剥離も容易とすることができ、同時に高い保持力を生成することができる。
【００２８】
１つの実施の形態において、面ファスナー要素の少なくとも一部は基板から離間した取付区域を有し、この取付区域は太陽電池に作用する重力に基づいて、及び／又は、手で加えることのできる押付力に基づいて、発生する粘着力が太陽電池をキャリア手段に取付するのに十分となるように、キャリア手段に平面的に当接可能である。この取付区域は好ましくは弾力的に撓み可能であり、僅かな力を加えるだけでも大きな面でキャリア手段への当接、従って高い取付力が粘着力のみによって達成可能である。
【００２９】
１つの実施の形態において、面ファスナー要素当接面の弾性率は隣接する面ファスナー要素区域に比べて低下している。このため面ファスナー要素は、キャリア手段に向き合うその末端に、好適な材料による被覆を有することができる。この被覆は例えば面ファスナー要素に印刷しておくことができ、又は面ファスナー要素の製造時に既に被着することができ、例えばこのために使用される成形ローラに導入しておくことができる。又は、製造された面ファスナー要素は好適な材料から成るように浸漬することができる。
【００３０】
１つの実施の形態において、面ファスナー要素の少なくとも一部は導電性である。これにより光起電力層の電気的接触が可能である。面ファスナー要素はその際接続電極として役立ち、例えば金属電極、例えば金被覆電極での粘着によって電極と電気的に接触させることができる。
【００３１】
１つの実施の形態において、面ファスナー要素の少なくとも一部は、それらの表面の少なくとも一部に、導電性材料による被覆を有する。この被覆は例えば印刷又は浸漬によって被着することができる。
【００３２】
１つの実施の形態において、基板は、面ファスナー要素を有するその側面が被覆されており、特に導電性材料又は半導体材料で被覆されており、例えば印刷されている。被覆は全面で行うことができ、必要なら引き続き構造化することができる。又は、被覆は既に構造化して行うことができ、例えばスクリーン印刷法による印刷又はインクジェット技術で行うことができる。面ファスナー要素を有する側面の被覆によって付加的な配線平面が得られる。例えば、結合線は基板の裏面に被着することができる。例えば基板高分子材料の局所的な変性又は導電性粒子の局所的導入によって部分的に導電性とされた基板と合せて、面ファスナー要素を有する基板裏面から光起電力層を有する基板前面への貫通接触もこうして用意することができる。これにより太陽電池の裏面接触が可能である。
【００３３】
本発明のその他の利点、特徴及び詳細は従属請求項と、図面を参考に複数の実施例を詳細に述べる以下の明細書とから明らかとなる。特許請求の範囲及び明細書で触れられた特徴はそれぞれ個々にそれ自体として又は任意に組合せて発明上重要たり得る。理解し易い図示を目的に図面は寸法どおりではない。
【図面の簡単な説明】
【００３４】
【図１】本発明に係る太陽電池の第１実施例の横断面図である。
【図２】面ファスナー要素の選択的実施の形態の横断面図である。
【図３】本発明に係る太陽電池を面ファスナー要素によってキャリア手段に取付した状態を示す。
【図４】本発明に係る太陽電池の第２実施例の横断面図である。
【図５】本発明に係る太陽電池の第３実施例の横断面図である。
【発明を実施するための形態】
【００３５】
図１は本発明に係る太陽電池１の第１実施例の横断面図である。この太陽電池１は、行と列とに規則的に配置された多数の面ファスナー要素１２を備えたフレキシブル基板１０を有する。面ファスナー要素１２と基板１０とは一体に形成されている。基板１０は高分子プラスチック、例えばポリアミド又はポリプロピレン等の熱可塑性プラスチック、又はポリビニルシロキサン等の熱硬化性プラスチックから製造されている。面ファスナー要素１２は第１表面１４から斜めに、好ましくは直角に突出している。面ファスナー要素１２は実質円筒形とすることができ、又は双曲面の形状を有することができる。面ファスナー要素は特に、面ファスナー要素１２の中心を延びて第１表面１４とで直角を成す軸線に対して軸対称とすることができる。第１表面１４から離間したその末端に面ファスナー要素は凹状湾曲表面４２を有する。
【００３６】
太陽電池１は基板１０と実質同一に構成されたキャリア手段２０と接合することができる。特に、面ファスナー要素１２は同一に構成された他の面ファスナー要素１８と脱離可能に係合させることができ、太陽電池１０は脱離可能にキャリア手段２０に取付可能である。掛合する面ファスナー要素１２、１８によって太陽電池１を取付する代わりに、基板１０の面ファスナー要素１２は繊維製面ファスナー要素と接合し、例えばフリース材料又はループ材料と接合し、又は直接に繊維製外被片と接合し、又は繊維製表面を有するキャリア手段と接合することもできる。
【００３７】
第１表面１４とは反対側の第２表面１６で基板１０に層系列２２が被着されており、この層系列は基板１０に隣接して、又は基板１０に取付けられた中間層に隣接して第１電極２４、光起電力層２６及び第２電極２８を含む。光起電力層２６内で入射光３０が吸収され、その際に電荷キャリア、特に電子‐正孔対が発生する。こうして発生した電荷キャリアは分離され、光起電力層２６に隣接する両方の電極２４、２８へと転送され、これらの電極２４、２８に電圧が発生する。
【００３８】
図１には第２電極２８を介した光３０の入射が示してある。このため第２電極２８は、入射光３０の波長範囲に対して透明又は部分的に透明な材料で構成しなければならない。このために適しているのは、例えばインジウムスズ酸化物等の導電性酸化物又は半導体酸化物である。電極の厚さは５０〜５００ｎｍ、好ましくは１００〜３００ｎｍ、特に１５０〜２５０ｎｍとすることができる。１つの実施の形態において、基板１０の材料も、入射光３０に対して透明又は部分的に透明である。その場合、光入射は、代わりに又は補足的に、基板１０を介して行うこともできる。電極２４、２８は完全に平滑にし又は構造化しておくことができる。電極２４、２８の１つを不透明としなければならない場合、例えばアルミニウム等の金属を材料として利用することができる。
【００３９】
１つの実施の形態において、光起電力層２６はそれ自体が多層系であり、特に２つの層を含み、例えばｐ型半導体高分子、例えばポリ‐３‐アルキルチオフェン、共役低バンドギャップポリマー又はポリフェニレンビニレン、そしてｎ型導体として有機アクセプタ、例えばＣ６０フラーレン誘導体を含むことができる。
【００４０】
電極２４、２８及び／又は光起電力層２６は、例えば液相のスピンオン堆積又はスピンコーティングによって、構造化し又は構造化することなく基板１０に被着しておくことができる。そうする代わりに層の少なくとも一部はインクジェット印刷技術によって被着しておくこともでき、この技術によって高分解能の電極ジオメトリを実現することができ、又は光起電力層２６の組成は層厚にわたって変更することができる。
【００４１】
図１の第１実施例の代わりに、太陽電池１の取付は、面ファスナー要素１２とキャリア手段２０との掛合によって行われるのでなく、又は、いずれにしてもそれのみによって行われるのでなく、代わりに又は補足的に、キャリア手段２０のほぼ任意に形成された表面での面ファスナー要素１２の粘着によって行うことができる。その場合、面ファスナー要素１２のキャリア手段２０に向き合う末端が弾力的に変形可能であると有利であり、これにより面ファスナー要素１２の末端は僅かな押付力で、好ましくは太陽電池１０に作用する重力のみに基づいて、又は、手で加えられる押付力に基づいて、キャリア手段２０に極力大きな面で当接することになる。このため、面ファスナー要素１２は、その末端がプラズマ照射又はプラズマ暴露によって僅かな弾性率を有するように変性させることができ、又は、面ファスナー要素１２の末端に被覆を被着することができる。粘着力によって取付可能な太陽電池１は、好ましくは、熱硬化性プラスチック、特に熱硬化性エラストマー、例えばポリビニルシロキサンから成る基板１０を有する。
【００４２】
図２は面ファスナー要素１１２の選択的実施の形態の横断面図であり、面ファスナー要素の基板１１０から離れる方を向いてキャリア手段２０に向き合う末端区域１３２は、いずれにしてもその表面１４６がそれに続く面ファスナー要素１１２区域に比べて低下した弾性率を有するように変性しておくことができる。表面区域１３２は、キャリア手段２０への当接時にキャリア手段２０の極力大きな面での接触を保証するためにその自由末端が凸状に湾曲している。さらに末端区域１３２は面ファスナー要素１１２の結合区域１１３の、末端区域１３２に隣接する区域よりも大きな半径方向の広がりを有する。面ファスナー要素１１２の結合区域１１３から末端区域１３２への移行部を胴状に狭めることによって、僅かな力で変位可能なヒンジ部を形成しておくこともでき、このヒンジ部によってキャリア手段２０の大きな面での接触が保証される。
【００４３】
選択的な１実施例において末端区域１３２の大きな半径方向の広がりは１方向でのみ行うこともでき、しかしながら、その場合好ましくは結合区域１１３の末端区域１３２に隣接する区域の直径の少なくとも２０％の値だけ広げることができる。末端区域１３２は面ファスナー要素１１２の材料の局所的な変性によって形成しておくことができ、又は末端区域１３２を形成する好適な材料を結合区域１１３に片側で被着しておくことができ、又は末端区域１３２は面ファスナー要素１１２の製造時に例えば面ファスナー要素１１２のカレンダリングによって形成しておくことができ、又は製造後に好適な溶液に面ファスナー要素１１２を浸漬することによって形成しておくことができる。
【００４４】
図３は、本発明に係る太陽電池１を面ファスナー要素１２によってキャリア手段２０に取付した状態を示す。結合手段又は結合層を付加的に必要とすることなく、太陽電池１は基板１０及びそれに被着された層系列２２の柔軟性に基づいてキャリア手段２０の表面輪郭に相応して大きな面で被着させることができ、例えば太陽の位置変化に相応して様々な方向からの光３０も、太陽電池１によって電気エネルギーに変換することができる。
【００４５】
図４は、本発明に係る太陽電池２０１の第２実施例の横断面図である。好ましくは熱可塑性プラスチックから製造される基板２１０は少なくとも１領域２３４において、この領域２３４に配置される面ファスナー要素２１２と同様に、クロスハッチングで示唆したように、プラスチックの変性によって、例えば導電性粒子の埋込みによって導電性とされる。これらの領域２３４で、基板２１０は第２表面２１６に配置される層系列２２２に接触し、特に第１電極２２４に接触する。こうして第１電極２２４は太陽電池２０１の裏面から、例えば外部接触電極２３６を介して、電気的に接触させることができる。
【００４６】
図５は、本発明に係る太陽電池３０１の第３実施例の横断面図である。層系列３２２の両方の側面に各１つのフレキシブル基板３１０、３１０ａが配置されており、この基板はそれぞれ層系列３２２から離れた方の側面に面ファスナー要素３１２、３１２ａを一体に有する。一方又は両方の基板３１０、３１０ａは入射光に対して透明又は部分的に透明であり、入射は一方又は両方の基板３１０、３１０ａを介して行うことができる。キャリア手段２０での取付は選択的に一方の基板３１０又は他方の基板３１０ａを介して行うことができる。電極３２４、３２８の電気的接触、つまり太陽電池３０１の電気的接触は、図５に示す区域の外側の無基板区域で行うことができ、又は、図４の第２実施例の接触に相応してそれぞれに付設された基板３１０、３１０ａを介して行うことができる。
【図１】
2011503854.tif 000003
【図２】
2011503854.tif 000004
【図３】
2011503854.tif 000005
【図４】
2011503854.tif 000006
【図５】
2011503854.tif 000007
【国際調査報告】
2011503854.tif 000008
2011503854.tif 000009
2011503854.tif 000010
2011503854.tif 000011